(57)【特許請求の範囲】
【請求項１】
バルコニーの周縁部に立設された控柱を被覆する縦枠に、バルコニー面材を設けて構成される手摺り壁構造であって、
バルコニー面材は、断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、
一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、
板片の屈曲部を、他の板片の溝部に嵌め込んだ後、これら板片同士を面一にすることによって、溝部内で屈曲部を突っ張らせるようになされ、
縦枠は、その外面に、上記バルコニー面材のリブ部間に板状部が設けられたような意匠部が形成されるとともに、その両側に、上記バルコニー面材のリブ部の側面に設けられた溝部と同様の溝部が形成され、
この溝部内に、それぞれバルコニー面材の板状部の屈曲部が嵌め込まれることによって、縦枠にバルコニー面材が取り付けられるようになされ、
この取付状態で、バルコニーの外面からは、縦枠とバルコニー面材との区別ができないようになされたことを特徴とするバルコニーの手摺り壁構造。
【請求項２】
断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、
一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、
板片の屈曲部を、他の板片の溝部に嵌め込んだ後、これら板片同士を面一にすることによって、溝部内で屈曲部を突っ張らせるようになされたことを特徴とするバルコニー面材。
【請求項３】
板片の両側辺に板状部が形成され、横並びに複数枚を接合した状態でその両側部に屈曲部を形成するようになされた請求項２のバルコニー面材。
【請求項４】
板片の両側辺にリブ部が形成され、横並びに複数枚を接合した状態で、その両側部に溝部を形成するようになされた請求項２記載のバルコニー面材。
【発明の詳細な説明】
【０００１】
【発明の属する技術分野】
本発明は、バルコニー面材と、バルコニー面材を用いた手摺り壁構造とに関するものである。
【０００２】
【従来の技術】
従来より、バルコニーの手摺り壁の構造としては、例えば、図５に示すように、控柱ａを被覆する柱カバーｂの内面に、バルコニー面材ｃをビスｄで固定し、このビスｄで固定したバルコニー面材ｃの側縁部をビスカバーｅで被覆するようになされたものが知られている（特開平８−１３６０５号公報参照）。
【０００３】
【発明が解決しようとする課題】
しかし、上記従来の手摺り壁構造の場合、外観からは、バルコニー面材ｃが柱カバーｂで分断されたようになってしまい、バルコニー面材ｃを大面積で見せることができないといった不都合を生じることとなる。
【０００４】
そのため、内外を逆にして柱カバーｂの外面にバルコニー面材ｃだけを固定することによって、外観からは、バルコニー面材ｃを連続させて大面積で見せるといったことが考えられる。しかし、バルコニー面材ｃとして、鋼板に複数の通気孔が穿孔されたパンチングメタルを用いているような場合には、バルコニー面材を通して裏の柱カバーｂが透けて見えるため、バルコニー面材ｃの連続性が損なわれてしまうこととなる。
【０００５】
本発明は、係る実情に鑑みてなされたものであって、バルコニー面材に連続性を持たせて大面積で見せることができるバルコニーの手摺り壁構造と、それに好適なバルコニー面材を提供することを目的としている。
【０００６】
【課題を解決するための手段】
上記課題を解決するための本発明のバルコニーの手摺り壁構造は、バルコニーの周縁部に立設された控柱を被覆する縦枠に、バルコニー面材を設けて構成される手摺り壁構造であって、バルコニー面材は、断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、板片の屈曲部を、他の板片の溝部に嵌め込んだ後、これら板片同士を面一にすることによって、溝部内で屈曲部を突っ張らせるようになされ、縦枠は、その外面に、上記バルコニー面材のリブ部間に板状部が設けられたような意匠部が形成されるとともに、その両側に、上記バルコニー面材のリブ部の側面に設けられた溝部と同様の溝部が形成され、この溝部内に、それぞれバルコニー面材の板状部の屈曲部が嵌め込まれることによって、縦枠にバルコニー面材が取り付けられるようになされ、この取付状態で、バルコニーの外面からは、縦枠とバルコニー面材との区別ができないようになされたものである。
【０００７】
この構成によると、バルコニーの控柱を被覆する縦枠に設けた溝部に、バルコニー面材の板状部に形成された屈曲部を嵌め込むことによって、縦枠にバルコニー面材を取り付けるので、縦枠にはビスなどの取付跡が見えない。また、縦枠の外面には、バルコニー面材のリブ部間に板状部が設けられたような意匠部を形成しているので、この取り付けた状態で、バルコニーの外面からは、縦枠とバルコニー面材との区別ができないようになり、バルコニー手摺り壁は、取付跡を出すことなくバルコニー面材が連続したようにして大面積で見せることができることとなる。
【０００８】
また、上記課題を解決するための本発明のバルコニー面材は、断面矩形状となされたリブ部と、断面板状となされた板状部とが交互に隣接する長尺に形成された板片からなり、その一側辺のリブ部を、他の板片の他側辺の板状部と接合して横並びに複数枚を接合するようになされ、一側辺のリブ部の側面には、対向する他の板片の板状部と同じ位置となるように、長手方向に沿って溝部が形成され、他側辺の板状部には、前記溝部に相当する分だけ幅方向に長く形成され、この長く形成された部分を長手方向に沿って片面側に屈曲した屈曲部が形成され、板片の屈曲部を、他の板片の溝部に嵌め込んだ後、これら板片同士を面一にすることによって、溝部内で屈曲部を突っ張らせるようになされたものである。
【０００９】
また、上記バルコニー面材において、板片の両側辺に板状部が形成され、横並びに複数枚を接合した状態でその両側部に屈曲部を形成するようになされたものである。また、上記バルコニー面材において、板片の両側辺にリブ部が形成され、横並びに複数枚を接合した状態で、その両側部に溝部を形成するようになされたものである。
【００１０】
【発明の実施の形態】
以下、本発明の実施の形態を図面を参照して説明する。
【００１１】
図１はバルコニー面材１の全体構成の概略を示し、図２は同バルコニー面材１の接合状態を示し、図３は同バルコニー面材１を使用したバルコニー１０ａの手摺り壁１０を示している。
【００１２】
すなわち、このバルコニー面材１は、その一側辺に溝部１１が形成され、他側辺に屈曲部１２が形成され、屈曲部１２を、他のバルコニー面材１の溝部１１に嵌め込んだ後、これらバルコニー面材１、１同士を面一にすることによって、溝部１１内で屈曲部１２を突っ張らせるようになされている。
【００１３】
バルコニー面材１は、アルミニウムを押出成形して形成される長尺の板状材を、所望の長さの板片に切断して形成されている。このバルコニー面材１は、断面矩形状となされたリブ部１３と、断面板状となされた板状部１４とが交互に隣接するようになされており、このリブ部１３と板状部１４とによって幅方向に凹凸を形成するようになされている。このうち、リブ部１３は、長手方向に沿って複数の溝部を形成するように、その両面にスクラッチ模様１３ａが形成されている。また、板状部１４は、長手方向に沿って適宜の間隔を存して、複数の矩形状の通気孔１４ａが穿孔されている。
【００１４】
溝部１１は、バルコニー面材１の一側辺のリブ部１３に形成されている。この溝部１１は、リブ部１３の側面１３ａに長手方向に沿って設けられ、対向する側面１３ｂから延設された板状部１４と同じ位置となるようになされている。
【００１５】
屈曲部１２は、バルコニー面材１の他側辺の板状部１４に形成されている。この屈曲部１２が形成されることとなるバルコニー面材１の他側辺の板状部１４は、あらかじめ溝部１１の深さに相当する分だけ幅方向に長く形成されており、この長く形成された部分を、バルコニー面材１の内面側に屈曲させることによって屈曲部１２が形成される。
【００１６】
このようにして構成されるバルコニー面材１は、図２に示すように、溝部１１内に、他のバルコニー面材１の屈曲部１２を嵌め込んだ後、これらバルコニー面材１、１同士を面一にすることによって、溝部１１内で屈曲部１２を突っ張らせるようにして複数枚を接合することができる。このように、溝部１１内で屈曲部１２を突っ張らせると、図２（ｄ）に示すように、溝部１１内の二カ所の位置Ａ、Ｂで屈曲部１２が圧接されることとなり、バルコニー面材１、１同士のがたつきが無くなり、強い接合力が得られることとなる。
【００１７】
この屈曲部１２の屈曲角度としては、図２に示すように、バルコニー面材１の溝部１１内に他のバルコニー面材１の屈曲部１２を嵌め込んだ後、バルコニー面材１、１同士を面一に戻すことができ、かつ溝部１１内で屈曲部１２を突っ張らせることができる角度であれば、特に限定されるものではない。
【００１８】
なお、バルコニー面材１は、一側辺に溝部１１が形成され、他側辺に屈曲部１２が形成されているが、両側辺に溝部１１が形成さたものであってもよいし、両側辺に屈曲部１２形成されたものであってもよい。
【００１９】
次に、このバルコニー面材１を用いたバルコニー手摺り壁１０の構造について述べる。
【００２０】
このバルコニー手摺り壁１０は、図３および図４に示すように、バルコニー１０ａの外縁部に立設された控柱２０を被覆する縦枠２に、上記したバルコニー面材１を設けて構成されている。
【００２１】
縦枠２は、長尺に形成された一対の枠片２１、２１の両側部を、同じく長尺に形成された接合片２２、２２で接合して控柱２０を被覆するように構成されている。この接合状態で、接合片２２、２２が設けられた面が、意匠面２ａを形成するようになされている。
【００２２】
枠片２１は、その両側辺が、前記バルコニー面材１のリブ部１３に相当する形状に形成されている。したがって、枠片２１の両側面には、このリブ部１３のスクラック模様１３ａと同様のスクラッチ模様２１ａが形成されている。また、このスクラッチ模様２１ａの両側部には、溝部２３、２４が設けられている。このうち、枠片２１の表面に設けられた溝部２３は、前記バルコニー面材１の一側辺のリブ部１３に設けられた溝部１１と同様に形成され、その内部に他のバルコニー面材１の屈曲部１２を嵌め込むことができるようになされている。また、他方の溝部２４は、断面略Ｌ字状となされ、枠片２１、２１同士を接合する接合片２２を嵌め込むことができるようになされている。
【００２３】
接合片２２は、この枠片２１、２１同士を、前記バルコニー面材１のリブ部１３間に設けられた板状部１４と同じ間隔で接合するようになされている。
【００２４】
このようにして接合された縦枠２は、接合片２２、２２が設けられた面が、前記バルコニー面材１の通気孔１４ａに相当する孔が無い以外はリブ部１３と板状部１４と横並びにしたような意匠面２ａを形成することとなる。
【００２５】
したがって、この縦枠２の溝部２３にバルコニー面材１の屈曲部１２を嵌め込んで手摺り壁１０を構成すると、手摺り壁１０は、外観からはバルコニー面材１と縦枠２との区別が着かないようになり、全体的にバルコニー面材１が連続したような大面積の一枚ものに見えることとなる。そのため、今までにないシンプルで、かつ、大胆なバルコニーの意匠創作を可能にすることができる。
【００２６】
なお、厳密に言うと、縦枠２の意匠面２ａは、バルコニー面材１の通気孔１４ａに相当する孔が無いが、この通気孔１４ａの有無が確認できる程の距離で手摺り壁１０を外からじっくりと見るようなことは、日常生活でまず考えられない。また、通気孔１４ａは、リブ部１３から凹設された板状部１４に設けられているので、目立ちにくい。したがって、この通気孔１４ａに相当する孔が無くても、目の錯覚によってバルコニー面材１と縦枠２との区別が着かないようにできることとなる。もちろん、手摺り壁１０は、通気孔１４ａを無くしたバルコニー面材１を用いることによって、縦枠２の意匠面２ａとバルコニー面材１とを完全に一致させようにしたものであってもよい。
【００２７】
【発明の効果】
以上述べたように、本発明によると、取付跡を出すことなく、バルコニー面材が連続した大面積の一枚ものであるかのように、バルコニー手摺り壁を見せることができるので、今までに無いシンプルで、かつ、大胆なバルコニーの意匠創作を可能にすることができる。
【００２８】
また、本発明のバルコニー面材によると、板片の屈曲部を、他の板片の溝部嵌め込んだ後、これら板片同士を面一にすることによって、溝部内で屈曲部を突っ張らせるようにしているので、この突っ張りによって、板片同士のがたつきを無くして接合力を得ることができる。
【図面の簡単な説明】
【図１】（ａ）は本発明に係るバルコニー面材を示す部分省略正面図、（ｂ）は同端面図である。
【図２】（ａ）および（ｂ）は本発明に係るバルコニー面材同士を接合する方法を説明する端面図、（ｃ）および（ｄ）は同図（ａ）および（ｂ）の要部拡大端面図である。
【図３】（ａ）は本発明に係るバルコニーの手摺り壁構造を示す斜視図、（ｂ）は同図（ａ）におけるI-I 線断面図である。
【図４】  ( ａ) は本発明に係るバルコニーの手摺り壁構造に使用される縦枠の端面図、( ｂ) は同部分省略正面図である。
【図５】  ( ａ) は従来のバルコニーの手摺り壁構造を示す正面図、( ｂ) は同部分断面図図である。
【符号の説明】
１  バルコニー面材
１０  手摺り壁
１０ａ  バルコニー
１１  溝部
１２  屈曲部
２  縦枠
２ａ  意匠面（意匠部）
２０  控柱
２３  溝部
【図１】
0003892309.tif 000002
【図２】
0003892309.tif 000003
【図３】
0003892309.tif 000004
【図４】
0003892309.tif 000005
【図５】
0003892309.tif 000006